(57)【要約】【課題】商業施設におけるより利便性の高いサービスを車両の搭乗者に対して提供できる車両向けサービス提供システムを実現すること。【解決手段】店舗で販売する商品を管理する商品管理システムＨ０と店舗の駐車場に駐車した車両の車載システムＶ０とを相互接続しながら該車両の搭乗者が購入する商品を駐車位置まで運搬するサービスを提供する車両向けサービス提供システム１００は、その車両の搭乗者が購入した商品の運搬先であるその車両の駐車位置を特定する運搬先特定手段Ｈ１２と、その車両の搭乗者が購入した商品がその車両の駐車位置まで運搬された場合にその車両のトランク又はドアを解錠する解錠手段Ｖ１２とを備える。【選択図】図１
2009211476.tif 000002
【特許請求の範囲】
【請求項１】
店舗で販売する商品を管理する商品管理システムと店舗の駐車場に駐車した車両の車載システムとを相互接続しながら該車両の搭乗者が購入する商品を該車両の駐車位置まで運搬するサービスを提供する車両向けサービス提供システムであって、
前記車両の搭乗者が購入した商品の運搬先である前記車両の駐車位置を特定する運搬先特定手段を備える、
ことを特徴とする車両向けサービス提供システム。
【請求項２】
前記車両の搭乗者が購入した商品が前記車両の駐車位置まで運搬された場合に前記車両のトランク又はドアを解錠する解錠手段を更に備える、
ことを特徴とする請求項１に記載の車両向けサービス提供システム。
【請求項３】
前記車載システムは、運搬される商品又は該商品を収容する容器に付加されるキー情報を生成するキー情報生成手段を備え、
前記解錠手段は、前記車載システムにあって、運搬された商品又は該商品を収容する容器が有するキー情報と前記車載システムが保持するキー情報とを照合して前記車両のトランク又はドアを解錠する、
ことを特徴とする請求項２に記載の車両向けサービス提供システム。
【請求項４】
前記商品管理システムは、運搬される商品又は該商品を収容する容器に付加される携帯型記憶媒体であって駐車位置に関する情報を記憶する携帯型記憶媒体を備え、
前記解錠手段は、前記商品管理システムにあって、前記携帯型記憶媒体を所定位置で検出した場合に前記車両のトランク又はドアを解錠する、
ことを特徴とする請求項２に記載の車両向けサービス提供システム。
【発明の詳細な説明】
【技術分野】
【０００１】
本発明は、車両の搭乗者に対して商業施設における各種サービスを提供する車両向けサービス提供システムに関し、特に、その車両の搭乗者が購入する商品をその車両の駐車位置まで運搬するサービスを提供する車両向けサービス提供システムに関する。
【背景技術】
【０００２】
従来、店舗が管理するＰＯＳ（Point  Of  Sale）システムと電気自動車とを接続しながら、駐車料金、又は、店舗に設置された電源を利用した車載バッテリの充電に対する料金をそのＰＯＳシステムで管理できるようにした電気自動車用駐車場システムが知られている（例えば、特許文献１参照。）。
【０００３】
この駐車場システムは、駐車スペースに充電手段及び情報送受手段を備え、駐車中における車載バッテリの充電、及び、電気自動車とＰＯＳシステムとの間の情報のやり取りを可能にする。
【０００４】
これにより、この駐車場システムは、電気自動車の搭乗者が車載バッテリを充電するために行う電気自動車と駐車場に設置された電源との間の接続と、駐車場入口で発券される各種情報を記憶可能な駐車券とを利用して、駐車料金、充電料金及び商品購入代金を一括精算できるようにする。
【０００５】
また、この駐車場システムは、駐車場退出後の交通情報や気象情報をその有線接続を利用して、電気自動車に配信できるようにする。
【特許文献１】特開平１１−８６０５８号公報
【発明の開示】
【発明が解決しようとする課題】
【０００６】
しかしながら、特許文献１に記載の駐車場システムは、ＰＯＳシステムが管理する情報と電気自動車が管理する情報とをその電気自動車の搭乗者が携帯する駐車券に記憶してそれら情報を関連付けながらＰＯＳシステムと電気自動車との間の情報の共有を可能にしているだけであり、その電気自動車の搭乗者が享受できるサービスを、各種代金の一括精算や交通情報の取得といったサービスに限定している。
【０００７】
上述の点に鑑み、本発明は、商業施設におけるより利便性の高いサービスを車両の搭乗者に対して提供できる車両向けサービス提供システムを実現することを目的とする。
【課題を解決するための手段】
【０００８】
上述の目的を達成するために、第一の発明に係る車両向けサービス提供システムは、店舗で販売する商品を管理する商品管理システムと店舗の駐車場に駐車した車両の車載システムとを相互接続しながら該車両の搭乗者が購入する商品を該車両の駐車位置まで運搬するサービスを提供する車両向けサービス提供システムであって、前記車両の搭乗者が購入した商品の運搬先である前記車両の駐車位置を特定する運搬先特定手段を備えることを特徴とする。
【０００９】
また、第二の発明は、第一の発明に係る車両向けサービス提供システムであって、前記車両の搭乗者が購入した商品が前記車両の駐車位置まで運搬された場合に前記車両のトランク又はドアを解錠する解錠手段を更に備えることを特徴とする。
【００１０】
また、第三の発明は、第二の発明に係る車両向けサービス提供システムであって、前記車載システムは、運搬される商品又は該商品を収容する容器に付加されるキー情報を生成するキー情報生成手段を備え、前記解錠手段は、前記車載システムにあって、運搬された商品又は該商品を収容する容器が有するキー情報と前記車載システムが保持するキー情報とを照合して前記車両のトランク又はドアを解錠することを特徴とする。
【００１１】
また、第四の発明は、第二の発明に係る車両向けサービス提供システムであって、前記商品管理システムは、運搬される商品又は該商品を収容する容器に付加される携帯型記憶媒体であって駐車位置に関する情報を記憶する携帯型記憶媒体を備え、前記解錠手段は、前記商品管理システムにあって、前記携帯型記憶媒体を所定位置で検出した場合に前記車両のトランク又はドアを解錠することを特徴とする。
【発明の効果】
【００１２】
上述の手段により、本発明は、商業施設におけるより利便性の高いサービスを車両の搭乗者に対して提供できる車両向けサービス提供システムを実現することができる。
【発明を実施するための最良の形態】
【００１３】
以下、図面を参照しつつ、本発明を実施するための最良の形態の説明を行う。
【実施例１】
【００１４】
図１は、本発明に係る車両向けサービス提供システムの構成例を示すブロック図であり、車両向けサービス提供システム１００は、店舗の駐車場に駐車するプラグイン車両に搭載される車載システムＶ０と店舗で構築される商品管理システムＨ０とを相互接続させながらプラグイン車両の搭乗者が店舗で購入した商品をそのプラグイン車両が駐車している駐車位置まで運搬し、かつ、そのプラグイン車両のトランクや車室に購入した商品を積み込むサービスを提供できるようにする。
【００１５】
車載システムＶ０は、各種車載機器を制御する情報システムであり、例えば、ＣＡＮ(Control  Area  Network)やＬＩＮ(Local  Interconnect  Network)等で構成される車載ネットワークであって、制御装置Ｖ１、記憶装置Ｖ２、トランク制御装置Ｖ３、ドア制御装置Ｖ４及びタグ読み取り装置Ｖ５を接続する。
【００１６】
また、商品管理システムＨ０は、店舗で販売する商品の流れを管理する情報システムであり、例えば、ＰＯＳシステムであって、制御装置Ｈ１、記憶装置Ｈ２及びタグ作成装置Ｈ３を接続する。
【００１７】
プラグイン車両の搭乗者は、そのプラグイン車両の駐車中に車載のバッテリＶ６を充電するために、バッテリＶ６と店舗の駐車場に設置された充電用の電源Ｈ４とを電源ケーブルで接続する。
【００１８】
車載システムＶ０と商品管理システムＨ０との間の相互接続は、バッテリＶ６と電源Ｈ４とが電源ケーブルで接続されたときに確立される。なお、この相互接続は、電力線通信を利用したものであってもよく、電源ケーブルに併設され、電源ケーブルの接続と共に接続される通信ケーブルを利用したものであってもよい。
【００１９】
次に、車載システムＶ０の構成要素について説明する。
【００２０】
制御装置Ｖ１は、ＣＰＵ（Central  Processing  Unit）、ＲＡＭ(Random  Access  Memory)、ＲＯＭ（Read  Only  Memory）等を備えた車載コンピュータであって、例えば、駐車開始通知手段Ｖ１０、キー情報生成手段Ｖ１１及び解錠手段Ｖ１２のそれぞれに対応するプログラムをＲＯＭに記憶しながら、各手段に対応する処理をＣＰＵに実行させる。
【００２１】
記憶装置Ｖ２は、各種情報を記憶するための車載装置であり、例えば、ハードディスクやフラッシュメモリ等の不揮発性記憶媒体であって、自車両の搭乗者が購入した商品を管理する購入商品データベースを記憶する。
【００２２】
図２は、購入商品データベースの構成例を示す図であり、購入商品データベースは、搭乗者識別番号欄、商品識別番号欄、商品名称欄、金額欄を有する。
【００２３】
制御装置Ｖ１は、商品管理システムＨ０の記憶装置Ｈ２に記憶される販売商品データベース（後述）を参照しながら自車両の搭乗者が購入した商品に関する情報を取得して購入商品データベースを更新する。
【００２４】
トランク制御装置Ｖ３は、車両のトランクの施錠・解錠を制御するための車載装置であり、例えば、制御装置Ｖ１が出力する施錠・解錠信号に応じてトランクを施錠或いは解錠させる。
【００２５】
ドア制御装置Ｖ４は、車両ドアの施錠・解錠を制御するための車載装置であり、例えば、制御装置Ｖ１が出力する施錠・解錠信号に応じて車両ドアを施錠或いは解錠させる。
【００２６】
タグ読み取り装置Ｖ５は、プラグイン車両の搭乗者が購入した商品又はそれら商品を収容する容器（例えば、買い物かごである。）に対して物理的に或いは電子的に付されるタグを読み取るための車載装置であり、例えば、カメラ、バーコードリーダ、ＲＦＩＤ（Radio  Frequency  IDentification）読み取り器等であって、車両周辺まで運搬された商品又はそれら商品を収容する容器に付されたタグを読み取るようにする。
【００２７】
タグは、各種情報を保持するものであって、例えば、バーコードやＱＲコード等が印字されたシール、又は、トランスポンダを備えた電子タグ等である。
【００２８】
次に、制御装置Ｖ１が有する各種手段について説明する。
【００２９】
駐車開始通知手段Ｖ１０は、プラグイン車両の駐車が開始したことを商品管理システムＨ０に通知するための手段であり、例えば、車載システムＶ０と商品管理システムＨ０との間の相互接続が確立したことを検出したときに駐車開始信号を商品管理システムＨ０に対して送信する。
【００３０】
図３は、駐車開始信号の構成例を示す図であり、駐車開始信号は、例えば、そのプラグイン車両の搭乗者全員の搭乗者識別番号を含む。搭乗者識別番号は、店舗で購入する商品と駐車位置とを関連付けられるようにするためのものであり、例えば、各搭乗者のクレジットカード番号、又は、携帯電話番号等であって、各搭乗者がそのプラグイン車両から降車するときに車載の非接触式情報読み取り装置で各自の識別番号を読み取らせ、プラグイン車両の車載システムに登録させておくものとする。
【００３１】
キー情報生成手段Ｖ１１は、プラグイン車両の搭乗者が購入した商品とプラグイン車両の駐車位置まで運搬されてきた商品とを照合するためのキー情報を生成するための手段であり、例えば、商品管理システムＨ０が送信するキー情報生成要求信号を受信した場合に、キー情報（例えば、認証番号である。）を生成して商品管理システムＨ０に返信する。
【００３２】
キー情報は、例えば、プラグイン車両の搭乗者が購入した商品がそのプラグイン車両の駐車位置に運搬されてきたときに、そのプラグイン車両のトランクや車両ドアを解錠させるために利用される。
【００３３】
キー情報生成手段Ｖ１１は、例えば、日時、駐車位置、店舗名、搭乗者識別番号、又は、購入した商品の商品識別番号等に基づいて一時的に有効なキー情報を生成する。
【００３４】
プラグイン車両の搭乗者は、降車の際に、タッチパネル等の入力装置を介して、キー情報の生成の許否やキー情報の生成を許可する時間帯を決定するようにしてもよい。無闇にキー情報を生成させないようにするためである。
【００３５】
解錠手段Ｖ１２は、車両ドア又はトランクを解錠させるための手段であり、例えば、プラグイン車両の搭乗者が購入した商品又はそれら商品を収容する容器が有するタグに含まれるキー情報であって、タグ読み取り装置Ｖ５が読み取ったキー情報と、車載システムＶ０がＲＡＭ又は記憶装置Ｖ２に保持するキー情報とが照合できた場合、トランク制御装置Ｖ３又はドア制御装置Ｖ４に解錠信号を送信して車両ドア又はトランクを解錠させるようにする。
【００３６】
次に、商品管理システムＨ０の構成要素について説明する。
【００３７】
制御装置Ｈ１は、ＣＰＵ、ＲＡＭ、ＲＯＭ等を備えたコンピュータであって、例えば、駐車情報記憶手段Ｈ１０、購入商品情報記憶手段Ｈ１１及び運搬先特定手段Ｈ１２のそれぞれに対応するプログラムをＲＯＭに記憶しながら、各手段に対応する処理をＣＰＵに実行させる。
【００３８】
記憶装置Ｈ２は、各種情報を記憶するための装置であり、例えば、ハードディスクやフラッシュメモリ等の不揮発性記憶媒体であって、販売した商品を管理する販売商品データベース、プラグイン車両群の駐車位置を管理する駐車位置データベース等を記憶する。
【００３９】
販売商品データベースは、購入商品データベースと同様、搭乗者識別番号欄、商品識別番号欄、商品名称欄、金額欄を有する（図２参照。）。
【００４０】
図４は、駐車位置データベースの構成例を示す図であり、駐車位置データベースは、搭乗者識別番号欄、及び、駐車位置識別番号欄を有する。
【００４１】
タグ作成装置Ｈ３は、プラグイン車両の搭乗者が購入した商品又はそれら商品を収容する容器に付されるタグを生成する装置であり、例えば、バーコードやＱＲコードを印刷するための印刷装置、トランスポンダに電子情報を書き込むための情報記憶装置がある。
【００４２】
次に、制御装置Ｈ１が有する各種手段について説明する。
【００４３】
駐車情報記憶手段Ｈ１０は、プラグイン車両の駐車に関する情報を記憶するための手段であり、例えば、車載システムＶ０が送信する駐車開始信号を受信した場合、そのプラグイン車両が駐車した駐車位置の識別番号とそのプラグイン車両の搭乗者の識別番号とを関連付けて駐車位置データベースに記憶する。なお、駐車位置の識別番号は、各駐車位置の電源ケーブル又は通信ケーブルに予め割り当てられているものとする。
【００４４】
購入商品情報記憶手段Ｈ１１は、プラグイン車両の搭乗者が購入した商品に関する情報を記憶するための手段であり、例えば、搭乗者が商品を購入した場合にレジが出力する商品購入信号を受信したときに、それら商品の識別番号と搭乗者の識別番号とを関連付けて販売商品データベース（図２参照。）に記憶する。なお、商品の識別番号は、レジに付属のバーコードリーダ等によって各商品に印字されたバーコードから読み取られ、搭乗者の識別番号は、レジに付属の非接触式情報読み取り装置によってそれら商品購入時に提示するクレジットカードや携帯電話から読み取られるものとする。
【００４５】
図５は、商品購入信号の構成例を示す図であり、商品購入信号は、商品を購入した搭乗者の識別番号、並びに、購入した商品の識別番号及び金額を含む。
【００４６】
運搬先特定手段Ｈ１２は、店舗が保持する既販売の商品の運搬先を特定するための手段であり、例えば、駐車位置データベースと販売商品データベースとを参照しながら、駐車位置まで運搬（配送）するために纏められ梱包された商品の識別番号からその商品を購入した搭乗者の識別番号を取得し、搭乗者の識別番号から駐車位置の識別番号を取得して、その既販売の商品の運搬先を特定する。
【００４７】
また、運搬先特定手段Ｈ１２は、タグ作成装置Ｈ３を用いて、運搬先である駐車位置識別番号と、車載システムＶ０によって生成されネットワークを介して取得したキー情報とを含むタグを作成する。
【００４８】
次に、図６〜図１１を参照しながら、車両向けサービス提供システムが提供する購入商品積み込みサービス（店舗に付属する駐車場に駐車したプラグイン車両の搭乗者がその店舗で購入した商品を、その搭乗者に代わって、サービススタッフが駐車場まで運搬してそのプラグイン車両のトランクに積み込むサービスである。）の流れについて説明する。
【００４９】
図６は、プラグイン車両が店舗の駐車場に駐車され、車載のバッテリＶ６を充電するためにバッテリＶ６と電源Ｈ４とが接続され、その結果、車載システムＶ０と商品管理システムＨ０とが相互接続されたときの車載システムＶ０における処理の流れを示すフローチャートである。
【００５０】
制御装置Ｖ１は、車載システムＶ０と商品管理システムＨ０とが相互接続されるのを監視しながら（ステップＳ１）、相互接続されたことを検知するまで（ステップＳ１のＮＯ）そのまま待機する。
【００５１】
相互接続されたことを検知すると（ステップＳ１のＹＥＳ）、制御装置Ｖ１は、駐車開始通知手段Ｖ１０により駐車開始信号を商品管理システムＨ０に向けて送信する（ステップＳ２）。
【００５２】
図７は、車載システムＶ０が駐車開始信号を送信した後の商品管理システムＨ０における処理の流れを示すフローチャートである。
【００５３】
制御装置Ｈ１は、車載システムＶ０から駐車開始信号が送信されるのを監視しながら（ステップＳ１１）、駐車開始信号を受信するまで（ステップＳ１１のＮＯ）そのまま待機する。
【００５４】
駐車開始信号を受信すると（ステップＳ１１のＹＥＳ）、制御装置Ｈ１は、駐車情報記憶手段Ｈ１０により搭乗者識別番号と駐車位置識別番号とを対応付けて駐車位置データベースに記憶する（ステップＳ１２）。
【００５５】
図６及び図７の処理は、商品管理システムＨ０が、プラグイン車両の駐車位置とそのプラグイン車両の搭乗者とを対応付けできるようにし、ひいては、それら搭乗者が後に店舗内で購入する商品とその駐車位置とを対応付けられるようにする。
【００５６】
図８は、プラグイン車両の搭乗者が店舗で商品を購入したときの商品管理システムＨ０における処理の流れを示すフローチャートである。
【００５７】
制御装置Ｈ１は、搭乗者が商品を購入したときにレジが出力する商品購入信号を受信したか否かを監視しながら（ステップＳ２１）、商品購入信号を受信するまで（ステップＳ２１のＮＯ）そのまま待機する。
【００５８】
商品購入信号を受信すると（ステップＳ２１のＹＥＳ）、制御装置Ｈ１は、購入商品情報記憶手段Ｈ１１により搭乗者識別番号と商品識別番号とを対応付けて販売商品データベースに記憶する（ステップＳ２２）。
【００５９】
その後、制御装置Ｈ１は、搭乗者が購入した商品の運搬（配送）依頼の有無を判定し（ステップＳ２３）、運搬（配送）依頼を受けていない場合（ステップＳ２３のＮＯ）、そのまま処理を終了させる。
【００６０】
一方、運搬（配送）依頼を受けた場合（ステップＳ２３のＹＥＳ）、制御装置Ｈ１は、キー情報生成要求信号を車載システムＶ０に対して送信する（ステップＳ２４）。
【００６１】
図９は、商品管理システムＨ０がキー情報生成要求信号を送信した後の車載システムＶ０における処理の流れを示すフローチャートである。
【００６２】
制御装置Ｖ１は、商品管理システムＨ０からキー情報生成要求信号が送信されるのを監視しながら（ステップＳ３１）、キー情報生成要求信号を受信するまで（ステップＳ３１のＮＯ）そのまま待機する。
【００６３】
キー情報生成要求信号を受信すると（ステップＳ３１のＹＥＳ）、制御装置Ｖ１は、キー情報生成手段Ｖ１１によりキー情報を生成し（ステップＳ３２）、生成したキー情報を含むキー情報信号を商品管理システムＨ０に対して送信する（ステップＳ３３）。
【００６４】
図１０は、車載システムＶ０がキー情報信号を送信した後の商品管理システムＨ０における処理の流れを示すフローチャートである。
【００６５】
制御装置Ｈ１は、車載システムＶ０からキー情報信号が送信されるのを監視しながら（ステップＳ４１）、キー情報信号を受信するまで（ステップＳ４１のＮＯ）そのまま待機する。
【００６６】
キー情報信号を受信すると（ステップＳ４１のＹＥＳ）、制御装置Ｈ１は、運搬先特定手段Ｈ１２により駐車情報データベースを参照して運搬（配送）依頼を受けた商品の運搬（配送）先を特定し、タグ作成装置Ｈ３を用いて、その商品又はその商品を収容する容器に付されるタグを作成する（ステップＳ４２）。
【００６７】
図１１は、プラグイン車両の搭乗者が購入した商品が配送車に載せられて駐車位置に運搬されてきたときの車載システムＶ０における処理の流れを示すフローチャートである。なお、配送車は、ナビゲーションシステムを搭載し、運搬先特定手段Ｈ１２が特定した運搬先に関する情報を取得して、複数ある運搬（配送）先を効率的に回れるようルート検索を実行するようにしてもよい。
【００６８】
制御装置Ｖ１は、配送車で運搬されてきた商品のタグに含まれる情報をタグ読み取り装置Ｖ５で読み取ったか否かを監視しながら（ステップＳ５１）、商品のタグに含まれる情報が読み取られるまで（ステップＳ５１のＮＯ）そのまま待機する。
【００６９】
タグに含まれる情報をタグ読み取り装置Ｖ５で読み取った場合（ステップＳ５１のＹＥＳ）、制御装置Ｖ１は、解錠手段Ｖ１２により、キー情報生成手段Ｖ１１が生成して商品管理システムＨ０に送信したキー情報とタグ読み取り装置Ｖ５が読み取ったキー情報とを照合する（ステップＳ５２）。
【００７０】
二つのキー情報が一致しないと判定した場合（ステップＳ５２のＮＯ）、制御装置Ｖ１は、トランクを解錠させることなく処理を終了させる。
【００７１】
一方、二つのキー情報が一致すると判定した場合（ステップＳ５２のＹＥＳ）、制御装置Ｖ１は、解錠手段Ｖ１２によりトランク制御装置Ｖ３に解錠信号を出力してトランクを解錠させる（ステップＳ５３）。
【００７２】
図８〜図１１の処理は、商品管理システムＨ０が、駐車位置識別番号とキー情報とを含むタグを作成して運搬（配送）依頼を受けた商品にそのタグを付加できるようにし、車載システムＶ０が、自身で生成したキー情報と運搬されてきた商品のタグに含まれるキー情報とを照合してトランクを解錠できるようにする。
【００７３】
以上の構成により、車両向けサービス提供システム１００は、プラグイン車両の搭乗者が購入した商品をそのプラグイン車両の駐車位置まで運搬するサービスを提供することができる。
【実施例２】
【００７４】
図１２は、本発明に係る車両向けサービス提供システムの別の構成例を示すブロック図であり、車両向けサービス提供システム２００は、車載システムＶ０がバッテリＶ６、トランク制御装置Ｖ３及びドア制御装置Ｖ４から構成され、商品管理システムＨ０における制御装置Ｈ１が解錠手段Ｈ１３を有し、タグ作成装置Ｈ３の代わりにＩＤカード管理装置Ｈ５が接続される点で車両向けサービス提供システム１００と相違するが、他の点において共通する。従って、共通する構成要素については同じ参照符号を用いながら相違点を中心に説明する。
【００７５】
ＩＤカード管理装置Ｈ５は、駐車場に設置される、ＩＤカードを管理するための装置であって、例えば、各駐車スペースに設置され、各駐車スペースに駐車した車両の搭乗者（以下、「利用者」とする。）がＩＤカードを抜き取り、或いは、利用者が店舗で購入した商品を駐車スペースまで運搬してくる配送スタッフがそのＩＤカードを差し込むことができるように構成される。
【００７６】
ＩＤカードは、駐車スペースを識別するための情報を記憶しており、駐車場でそのＩＤカードをＩＤカード管理装置Ｈ５から抜き取った利用者は、店舗内に準備された買い物かごや買い物カート（以下、「買い物かご等」とする。）にそのＩＤカードを取り付け、購入しようとする商品をその買い物かご等に入れていく。
【００７７】
また、利用者は、店舗内に設置された専用のカード情報入力端末を用いて、各種情報をそのＩＤカードに記憶させることができ、例えば、携帯電話番号（店舗側のスタッフが利用者に連絡を取ることができるようにするためである。）や指定配送時刻等を記憶させることができる。
【００７８】
その後、購入しようとする商品をその買い物かご等に入れ終えた利用者は、店舗内に設置された代金精算所にその買い物かご等を持って行き、その買い物かご等を店舗スタッフに手渡すようにする。なお、車両向けサービス提供システム２００は、搬送用コンベアを用いて、その買い物かご等を無人で引き取るようにしてもよい。
【００７９】
ＩＤカードが取り付けられた買い物かご等を受け取った店舗スタッフは、バーコードリーダでそれら商品に関する情報を読み取ってそれら情報を販売商品データベースに記憶させ、その上で、それら商品を一纏めにして梱包し、買い物かごに取り付けられていたＩＤカードを商品又は商品を梱包した容器（以下、「容器等」とする。）に取り付けるようにする。
【００８０】
その後、容器等は、指定された時刻に配送車によって駐車スペースまで運搬され、配送スタッフは、各容器等に対応する駐車スペースに到着すると各駐車スペースに設置されたＩＤカード管理装置Ｈ５に、各容器等に取り付けられているＩＤカードを差し込むようにする。
【００８１】
解錠手段Ｈ１３は、その駐車スペースに対応するＩＤカードがＩＤカード管理装置Ｈ５に差し込まれたことを検出すると、その駐車スペースに駐車しているプラグイン車両のトランク制御装置Ｖ３やドア制御装置Ｖ４に対して解錠信号を送信し、トランクや車両ドア（以下、「車両ドア等」とする。）を解錠させるようにする。
【００８２】
車両ドア等が解錠されると、配送スタッフは、車両ドア等を開いて、対応する容器等をトランクや車室内に積み込み、その上で、車両ドア等を閉じるようにする。
【００８３】
解錠手段Ｈ１３は、そのプラグイン車両におけるトランク制御装置Ｖ３やドア制御装置Ｖ４の出力に基づいて車両ドア等が閉じられたことを検出すると、そのプラグイン車両のトランク制御装置Ｖ３やドア制御装置Ｖ４に対して施錠信号を送信し、車両ドア等を施錠させるようにする。
【００８４】
以上の構成により、車両向けサービス提供システム１００は、プラグイン車両の搭乗者が購入した商品をそのプラグイン車両の駐車位置まで運搬するサービスを提供することができる。
【００８５】
以上、本発明の好ましい実施例について詳説したが、本発明は、上述した実施例に制限されることはなく、本発明の範囲を逸脱することなしに上述した実施例に種々の変形及び置換を加えることができる。
【００８６】
例えば、上述の実施例において、車両向けサービス提供システムは、車載バッテリを充電するための搭乗者による自発的な接続（その車載バッテリと駐車場設置電源との間の接続である。）を利用でき、駐車中であっても安定的な電力供給を受けながら車載装置を安定的に作動させることができるプラグイン車両の車載システムを相互接続の対象としているが、無線又は有線により商品管理システムに相互接続可能な車載システムであって、内燃機関を利用した従来の車両に搭載される車載システムを相互接続の対象としてもよい。
【００８７】
また、上述の実施例において、車両向けサービス提供システムは、車載システムと商品管理システムとを相互接続するが、ＥＴＣ（Electronic  Toll  Collection）システムやクレジットカードシステムを更に相互接続させて、駐車料金や商品購入代金等を一括して支払うことができるサービスを提供するようにしてもよい。
【図面の簡単な説明】
【００８８】
【図１】車両向けサービス提供システムの構成例を示すブロック図（その１）である。
【図２】購入商品データベースの構成例を示す図である。
【図３】駐車開始信号の構成例を示す図である。
【図４】駐車位置データベースの構成例を示す図である。
【図５】商品購入信号の構成例を示す図である。
【図６】車載システムと商品管理システムとが相互接続されたときの車載システムにおける処理の流れを示すフローチャートである。
【図７】車載システムが駐車開始信号を送信した後の商品管理システムにおける処理の流れを示すフローチャートである。
【図８】プラグイン車両の搭乗者が店舗で商品を購入したときの商品管理システムにおける処理の流れを示すフローチャートである。
【図９】商品管理システムがキー情報生成要求信号を送信した後の車載システムにおける処理の流れを示すフローチャートである。
【図１０】車載システムがキー情報信号を送信した後の商品管理システムにおける処理の流れを示すフローチャートである。
【図１１】プラグイン車両の搭乗者が購入した商品が配送車に載せられて駐車位置に運搬されてきたときの車載システムにおける処理の流れを示すフローチャートである。
【図１２】車両向けサービス提供システムの構成例を示すブロック図（その２）である。
【符号の説明】
【００８９】
１００、２００  車両向けサービス提供システム
Ｈ０    商品管理システム
Ｈ１    制御装置
Ｈ２    記憶装置
Ｈ３    タグ作成装置
Ｈ４    電源
Ｈ５    ＩＤカード管理装置
Ｈ１０  駐車情報記憶手段
Ｈ１１  購入商品情報記憶手段
Ｈ１２  運搬先特定手段
Ｈ１３  解錠手段
Ｖ０    車載システム
Ｖ１    制御装置
Ｖ２    記憶装置
Ｖ３    トランク制御装置
Ｖ４    ドア制御装置
Ｖ５    タグ読み取り装置
Ｖ６    バッテリ
Ｖ１０  駐車開始通知手段
Ｖ１１  キー情報生成手段
Ｖ１２  解錠手段
【図１】
2009211476.tif 000003
【図２】
2009211476.tif 000004
【図３】
2009211476.tif 000005
【図４】
2009211476.tif 000006
【図５】
2009211476.tif 000007
【図６】
2009211476.tif 000008
【図７】
2009211476.tif 000009
【図８】
2009211476.tif 000010
【図９】
2009211476.tif 000011
【図１０】
2009211476.tif 000012
【図１１】
2009211476.tif 000013
【図１２】
2009211476.tif 000014